(57)【要約】【課題】複数の導光板を本体部の下面よりも下方に取り付けることにより、広範囲に光を照射可能な照明装置を提供することが可能となる。【解決手段】導光板５０の少なくとも一部が基部３２の下面よりも下側となる位置に取り付けられているため、ＬＥＤから照射された光が、基部３２の下方だけでなく、基部３２の側方にも照射されることになり、広い範囲に光を照射することができる。このとき、導光板５０の傾斜面及び下面は粗面であるため、ＬＥＤによって導光板５０に照射された光が、拡散ドットによって拡散されることなく直進した場合であっても、粗面によって拡散され、グレアの発生を抑えることができる。【選択図】図１
2013197065.tif 000002
【特許請求の範囲】
【請求項１】
下面側の少なくとも一部が開放された本体部と、
前記本体部の内側に複数設けられ、それぞれ１又は２以上のＬＥＤを有する光源部と、
主面の少なくとも一方の面に複数の拡散ドットを有し、かつ、下方側面側が粗面である複数の導光板と、
を備え、
前記導光板は、前記光源部にそれぞれ対向する位置であって、前記導光板の少なくとも一部が前記本体部の下面よりも下側となる位置に取り付けられる、
照明装置。
【請求項２】
前記下方側面は、両端側がそれぞれ上方に傾斜する傾斜面を有する、
請求項１に記載の照明装置。
【請求項３】
複数の前記導光板は、前記傾斜面が前記本体部の下面よりも下側に位置する、
請求項１又は２に記載の照明装置。
【請求項４】
前記導光板は、上方側面に凹部を有し、
前記ＬＥＤは、前記凹部の両側の少なくとも一方に配置される、
請求項１〜３のいずれか１項に記載の照明装置。
【請求項５】
前記光源部は、前記本体部の一端側から他端側に直線状に設けられ、かつ、複数の前記光源部が平行に設けられている、
請求項１〜４のいずれか１項に記載の照明装置。
【請求項６】
請求項１〜５のいずれか１項に記載の照明装置であって、
前記本体部の下面側に、前記光源部を覆うように取り付けられる透過性を有し、かつ、難燃性のカバーと、
を備えた、
照明装置。
【請求項７】
複数の前記光源部は、前記本体部に等間隔で取り付けられる、
請求項１〜６に記載の照明装置。
【発明の詳細な説明】
【技術分野】
【０００１】
本発明は、照明装置に関する。
【背景技術】
【０００２】
近年、蛍光灯に代えて、ＬＥＤを用いた照明装置が広く知られている。照明装置の光源を蛍光灯からＬＥＤに代えることで、蛍光灯を光源として使用する場合と比較して、長寿命であり、熱の発生も少なく、消費電力を抑えることができるなど、様々なメリットを得ることができる。しかしながら、ＬＥＤは蛍光灯と比較して、指向性が高いため照射範囲が狭かったりグレアが発生したりするといった課題がある。
【０００３】
これらの課題に対して、特許文献１に記載の照明装置では、ＬＥＤからの光の配光を制御する光透過率の異なる領域を有する配光部材を備えることにより、指向性のあるＬＥＤのグレアを緩和するとともに、ＬＥＤからの光の配光を制御し、使用者にグレアを感じさせないようにすることができるとともに、配光部材を適切に予め設定してＬＥＤからの光を適切に配光することにより、照度がそれ程必要でない領域への光を照度が必要な領域へ照射することができ、光を有効に活用することが可能となる。
【先行技術文献】
【特許文献】
【０００４】
【特許文献１】特開２００９−０４８９５５号公報
【発明の概要】
【発明が解決しようとする課題】
【０００５】
ところで、こうした照明装置では、予め設けられた配光部材によって光を配光するため、設置場所に応じて配光部材を予め設ける必要がある。このため、十分な範囲に光を照射することができないという課題がある。
【０００６】
本発明は、このような課題に鑑みなされたものであり、複数の光源部が本体部の下面より下側に取り付けられた照明装置を用いることにより、広範囲に光を照射することができる照明装置を提供することを主目的とする。
【課題を解決するための手段】
【０００７】
本発明は、上述の主目的を達成するために以下の手段を採った。
【０００８】
本発明の照明装置は、
下面側の少なくとも一部が開放された本体部と、
前記本体部の内側に複数設けられ、それぞれ１又は２以上のＬＥＤを有する光源部と、
主面の少なくとも一方の面に複数の拡散ドットを有し、かつ、下方側面側が粗面である複数の導光板と、
を備え、
前記導光板は、前記光源部にそれぞれ対向する位置であって、前記導光板の少なくとも一部が前記本体部の下面よりも下側となる位置に取り付けられる、
ものである。
【０００９】
この照明装置では、導光板の少なくとも一部が本体部より下側となる位置に取り付けられているため、光源部から照射された光が導光板で拡散され、本体部の外側に照射される際、本体部の下面側方向だけでなく、本体部の側面方向にも光を照射することができるため、本体部の下面より下側に取り付けられていない場合と比較して、より広範囲に光を照射することができる。このとき、導光板の下方側面は粗面であるため、上方側面からＬＥＤによって照射された光が拡散ドット及び粗面によって拡散され、グレアを低減することができる。またこの照明装置は複数の光源部を備えているため、光源部の数を増加又は減少させることで光量を増加又は減少させることができる。このとき、光源部は本体部の内側に設けられているため、光源部が本体部の外側から視認されにくい。更に、この光源に対向する位置に導光板が取り付けられているため、光源部がより視認されにくい。更にまた、導光板の下方側面が粗面であるため、光源部がより視認されにくい。このように、この照明装置では、下面側から側面側の広い範囲に光を照射しつつ、光源部が可能な限り視認されにくいように取り付けられているため、美観に優れる。
【００１０】
本発明の照明装置において、前記下方側面は、両端側がそれぞれ上方に傾斜する傾斜面を有していてもよい。こうすれば、傾斜面によって導光板の下面側から側面側の広い範囲に光を照射することができるため、傾斜面を有しない場合と比較して、より広範囲を明るくすることができる。
【００１１】
本発明の照明装置において、複数の前記導光板は、前記傾斜面が前記本体部の下面よりも下側に位置していてもよい。こうすれば、傾斜面から照射される光が本体部の側面によって遮られることがないため、傾斜面が本体部の下面より上側に位置する場合と比較して、より本体部の下面側から側面側の広い範囲を明るくすることができる。
【００１２】
本発明の照明装置において、前記導光板は、上方側面に凹部を有し、前記ＬＥＤは、前記凹部の両側の少なくとも一方に配置されてもよい。このように導光板に凹部を設けることにより、凹部を設けない場合と比較して導光板を軽量化することができるため、天井等に取り付けた際、導光板の重量による取り付け箇所への負担を軽減することができる。また、この凹部の両側の少なくとも一方にＬＥＤを配置することにより、ＬＥＤを導光板の側面付近に配置することができるため、同じＬＥＤを使用した場合に、導光板によって拡散される光量を減らすことなく、導光板を軽量化することができる。
【００１３】
本発明の照明装置において、前記光源部は、前記本体部の一端側から他端側に直線状に設けられ、かつ、複数の前記光源部が平行に設けられていてもよい。こうすれば、平板状の導光板が略平行に取り付けられることになり、美観に優れる。
【００１４】
本発明の照明装置は、前記本体部の下面側に、前記光源部を覆うように取り付けられる透過性を有し、かつ、難燃性のカバーを更に備えていてもよい。このカバーは透過性を有するため、光源部からの光が遮られることが無い。また、難燃性を有するため、周囲で火災等が起きたとしても、導光板が損傷する可能性を未然に低減することができる。加えて、熱等により導光板が損傷又は融解したとしても、導光板の一部が落下して周囲に影響を与える可能性を未然に低減することができる。
【００１５】
本発明の照明装置において、複数の前記光源部は、前記本体部に等間隔で取り付けられてもよい。こうすれば、光源部と光源部との間隔がそれぞれ異なる間隔で取り付けられている場合と比較して、整然とした、優れた美観を与えることができる。
【図面の簡単な説明】
【００１６】
【図１】図１は、照明装置２０の構成の概略を示す斜視図である。
【図２】図２は、本体部３０の構成の概略を示す斜視図である。
【図３】図３は、光源ユニット４０及び導光板５０の構成の概略を示す斜視図である。
【図４】図４は、他の実施の形態の導光板１５０の構成の概略を示す斜視図である。
【図５】図５は、他の実施の形態の導光板２５０の構成の概略を示す斜視図である。
【発明を実施するための形態】
【００１７】
ここで、上記簡単に説明した図面に基づいて、本発明を実施するための形態を説明するにあたり、本実施の形態の構成要素と本発明の構成要素との対応関係を明らかにする。本実施の形態の照明装置２０が本発明の照明装置に相当し、本体部３０が本体部に相当し、透明カバー３８がカバーに相当し、光源ユニット４０が光源部に相当し、ＬＥＤ４４がＬＥＤに相当し、導光板５０が導光板に相当し、拡散ドット５２が拡散ドットに相当し、中央凹部５４が中央凹部に相当し、切り欠き部５６が切り欠き部に相当し、右側上方側面６１ａ及び左側上方側面６１ｂからなる面が上方側面に相当し、右側傾斜面６３ａ、左側傾斜面６３ｂ及び下方側面６４からなる面が下方側面に相当し、右側傾斜面６３ａ及び左側傾斜面６３ｂが傾斜面にそれぞれ相当する。
【００１８】
次に、図１〜図３を用いて、本発明の実施の形態の照明装置２０の構成を詳しく説明する。本発明の実施の形態の照明装置２０は、図１に示すように、略直方体形状の本体部３０と、本体部３０の内側に取り付けられる複数の光源ユニット４０と（図２参照）、光源ユニット４０にそれぞれ固定される導光板５０と、を備えている。なお、以下の説明においては、照明装置２０を天井に取り付けて使用することを想定し、本体部３０に光源ユニット４０が取り付けられている面側（図１中下方側）を下面側として説明するが、これに限定されるものではなく、例えば、本体部３０に光源ユニット４０が取り付けられている面が横方向となる向きに壁面等に取り付けて使用してもよいし、本体部３０を傾斜面に取り付けて、斜め方向に光が照射される向きに取り付けて使用してもよい。
【００１９】
本体部３０は、図１に示すように、長手方向が１２００ミリメートル、短手方向が３５５ミリメートルの矩形形状の基部３２に、複数の溝３６を有する固定部材３４が嵌め込まれて形成される。基部３２の側面には、図示しない貫通孔が両側面にそれぞれ３つずつ形成されており、この貫通孔を固定ビス３１がそれぞれ貫通することで固定部材３４及び透明カバー３８が同時に固定される。こうすることにより、固定ビス３１を固定するという単一の動作で、固定部材３４及び透明カバー３８を同時に固定することができる。また、図２に示すように、基部３２の下面側には、複数（例えば、１０個）の光源ユニット４０が、短手方向に一端側から他端側にかけてそれぞれ平行に設けられている。このとき、光源ユニット４０と光源ユニット４０との間隔は、それぞれ等間隔（約１１０ミリメートル間隔）で取り付けられている。このように、光源ユニット４０を等間隔で取り付けることにより、照明装置２０の下面側に対して、明るさのムラを低減しつつ、均一な明るさで光を照射することができる。更に、例えば蛍光灯のように長手方向に一定の長さとして決まっていないため、取り付ける光源ユニット４０の数を増減することで、明るさを保ちつつ、容易に照明装置２０の長さを変更することができる。
【００２０】
固定部材３４は、図２に示すように、基部３２の内側面に沿って取り付けられるように基部３２よりも一回り小さく形成され、両端部が裏面側（基部３２に取り付けられた際、基部３２側であり、図２中上方側）に略直角に折れ曲がり、略Ｕ字形状の断面を有する部材である。この固定部材３４が基部３２に取り付けられると、固定部材３４の裏面側が導光板５０に設けられた右側係合面６５ａ及び左側係合面６５ｂをそれぞれ押圧する。また、固定部材３４は下面側に鏡面加工が施されており、光源ユニット４０から固定部材３４の方向に照射された光は、鏡面加工された下面によって照明装置２０の下面方向に反射される。こうすることにより、光源ユニット４０から照射される光の量が同量の場合には、鏡面加工が施されていない場合と比較して、照明装置２０の下面側をより明るくすることができる。また、この固定部材３４は、基部３２に固定された際に、光源ユニット４０と対向する位置に、光源ユニット４０と略同一の溝３６が光源ユニット４０と同じ数だけ設けられている。このため、光源ユニット４０に導光板５０が取り付けられた状態で固定部材３４を基部３２に固定すると、導光板５０が溝３６を貫通し、導光板５０の横方向への移動を規制する。
【００２１】
透明カバー３８は、難燃性のポリカーボネート製であり、図２に示すように、基部３２の下面側に全ての導光板５０を覆うように基部３２に着脱可能な状態で取り付けられている。また、透明カバー３８の側面には図示しない貫通孔が設けられており、固定ビス３１がこの貫通孔を貫通し、基部３２に透明カバー３８が固定される。
【００２２】
光源ユニット４０は、図３に示すように、断面が略Ｕ字形状の補助部材４２と、導光板５０に光を照射する複数のＬＥＤ４４と、断面が略Ｕ字形状の保護部材４６と、を備えている。この補助部材４２の中央部には図示しない配線貫通孔が基部３２と連通して設けられており、この配線貫通孔を図示しない配線が通り、外部からの電力がＬＥＤ４４に供給される。また、補助部材４２は、基部３２の内側上面に図示しないビスで等間隔に固定されており、補助部材４２の両端側には、図示しない両面テープ等により複数のＬＥＤがそれぞれ固定されている。こうすることにより、ＬＥＤ４４で発生した熱が補助部材４２に伝わるため、補助部材４２に固定されていない場合と比較して、より早くＬＥＤ４４から発生した熱を放出することができる。
【００２３】
ＬＥＤ４４は、正面発光型の白色発光ダイオードである。このＬＥＤ４４は、図３に示すように、補助部材４２の両端部であって、導光板５０が補助部材４２に嵌め込まれた際、右側上方側面６１ａ及び左側上方側面６１ｂに対向する位置に位置する。こうすることにより、導光板５０が補助部材４２に取り付けられた際、ＬＥＤ４４と導光板５０とが近接する位置に位置することになるため、ＬＥＤ４４と導光板５０との距離が離れている場合と比較して、ＬＥＤ４４から照射された光が導光板５０の内部に十分に導くことができる。
【００２４】
保護部材４６は、図２に示すように、補助部材４２の中央部に嵌め込まれている。また、保護部材４６及び補助部材４２は、それぞれ断面略Ｕ字形状であるため、保護部材４６と補助部材４２との間には空間が生じることになる。こうすることにより、図示しない配線貫通孔を通過した図示しない配線は、この空間を経てＬＥＤ４４に電気的に接続し、ＬＥＤ４４に電力を供給する。こうすることにより、図示しない配線が外部から視認されることが無いため、優れた美観を有する。また、保護部材４６の補助部材４２に嵌め込まれた際に下面側に位置する面は、固定部材３４と同様に鏡面加工が施されており、図１に示すように、一見すると固定部材３４と保護部材４６との境界が視認しにくい。こうすることにより、優れた美観を有する。
【００２５】
導光板５０は、図３に示すように、厚さが約４ミリメートルから約８ミリメートルの透過性を有するメタクリル樹脂製の板状部材であり、右側上方側面６１ａ及び左側上方側面６１ｂ、右側面６２ａ及び左側面６２ｂ、右側傾斜面６３ａ及び左側傾斜面６３ｂ、下方側面６４と、からなる。また、右側傾斜面６３ａと下方側面６４とがなす角及び左側傾斜面６３ｂと下方側面６４とがなす角は、それぞれ１５０°であり、右側面６２ａと右側傾斜面６３ａとがなす角及び左側面６２ｂと左側傾斜面６３ｂとがなす角は、それぞれ１２０°であり、全体として略五角形形状である。この導光板５０は、右側上方側面６１ａ及び左側上方側面６１ｂから入射した光を拡散する複数の拡散ドット５２を有する主面と、右側上方側面６１ａと左側上方側面６１ｂとの間に設けられた中央凹部５４と、を備えている。光源ユニット４０に設けられたＬＥＤ４４から導光板５０の右側上方側面６１ａ及び左側上方側面６１ｂに光が照射されると、入射した光の一部は拡散ドット５２に拡散されて主面から照射される。この光は、基部３２の内側の面で反射し、照明装置２０の下面側に照射される。また、入射した光の一部は、導光板５０内を通過して、右側面６２ａ、左側面６２ｂ、右側傾斜面６３ａ、左側傾斜面６３ｂ及び下方側面６４から照射されることになる。こうすることにより、下側側方に光が照射されやすくなるため、右方、左方、右斜め下方、左斜め下方、下方の５方向に幅広く光を照射することができ、右側傾斜面６３ａ及び左側傾斜面６３ｂを有しない場合と比較して、より広範囲に光を照射することができる。
【００２６】
この導光板５０は、図１に示すように、右側面６２ａ及び左側面６２ｂの一部が基部３２の下面より下方となるように基部３２に取り付けられている。このため、基部３２の下面より右側面６２ａ及び左側面６２ｂが上方に位置している場合と比較して、右側面６２ａ及び左側面６２ｂから照射された光が基部３２の側面に遮られることが少なくなり、より右側方及び左側方に光を照射することができる。このとき、導光板５０の右側傾斜面６３ａ及び左側傾斜面６３ｂは、基部３２の下面よりも下方に位置することになるため、右側傾斜面６３ａ及び左側傾斜面６３ｂから照射された光が基部３２の側面に遮られることがない。
【００２７】
ここで、導光板５０を基部３２に取り付ける方法を更に詳しく説明する。導光板５０を基部３２に取り付ける際には、まず、補助部材４２に導光板５０を嵌め込む（図３）参照。次に、基部３２に固定部材３４を嵌め込む（図２参照）。このとき、固定部材３４の裏面が右側係合面６５ａ及び左側係合面６５ｂと隣接する。この状態で、更に基部３２に透明カバー３８を取り付けた後に、固定部材３４と透明カバー３８とを基部３２に固定ビス３１で固定する（図１参照）。こうすることにより、固定部材３４が基部３２に固定され、固定部材３４により導光板５０が固定される。
【００２８】
さて、導光板５０の右側傾斜面６３ａ、左側傾斜面６３ｂ及び下方側面６４は、粗面状に加工されている。このため、ＬＥＤ４４から導光板５０の上面に照射された光のうち、拡散ドット５２によって拡散されることなく直進した光が、そのまま導光板５０の右側傾斜面６３ａ、左側傾斜面６３ｂ又は下方側面６４を経て外部まで直進する可能性を未然に低減することができる。こうすることにより、グレアが発生する可能性を未然に低減することができる。同時に、粗面によって光が拡散されるため、粗面状に加工されていない場合と比較して、右側傾斜面６３ａ、左側傾斜面６３ｂ及び下方側面６４から照射される光の濃淡をより低減し、ムラが少ない状態で広範囲に光を照らすことができる。
【００２９】
拡散ドット５２は、略四角錐形状に凹む凹部であり、四角錐の底面に相当する面が表面側に位置するように導光板５０の主面に複数設けられている。この四角錐の各辺の長さは、０．６ミリメートル〜１．５ミリメートルに設けられ、深さは０．４ミリメートル〜０．８ミリメートルに設けられている。また、隣り合う拡散ドット５２間のピッチは、約１．５ミリメートル〜約８．０ミリメートルのピッチに設けられている。なお、拡散ドット５２については、図１では省略した。また、図３〜５では、実際よりも大きく、且つ、少なく描いており、実際には、より小さな拡散ドット５２がより多く形成されることになる。
【００３０】
以上詳述した実施の形態の照明装置２０によれば、導光板５０の少なくとも一部が基部３２の下面よりも下側となる位置（導光板５０の一部が、本体部３０の下方に突出する位置）に取り付けられているため、ＬＥＤ４４から照射された光が、基部３２の下方だけでなく、基部３２の側方にも照射されることになり、広い範囲に光を照射することができる。このとき、導光板５０の右側傾斜面６３ａ、左側傾斜面６３ｂ及び下方側面６４は粗面であるため、ＬＥＤ４４によって導光板５０に照射された光が、拡散ドット５２によって拡散されることなく直進した場合であっても、粗面によって拡散され、グレアの発生を抑えることができる。また、ＬＥＤ４４の下方には、導光板５０が設けられ、導光板５０の右側傾斜面６３ａ、左側傾斜面６３ｂ及び下方側面６４が粗面であるため、ＬＥＤ４４が外部から視認される可能性が未然に低減され、美観に優れる。
【００３１】
また、導光板５０が基部３２の下方に平行に複数取り付けられているため、単位長さ当たりに基部３２に取り付けられる導光板５０の数を増加することで照明装置２０から照射される光をより明るくしたり、逆に、単位長さ当たりに基部３２に取り付けられる導光板５０の数を減少することで照明装置２０から照射される光をより暗くしたりすることができる。また、基部３２を長くした場合であっても、同様の割合で導光板５０を配置することで同じ明るさでより長くすることができる。同様に、基部３２を短くすることもできる。このように、基部３２の長さを所望の長さにしても、同様の明るさを保つことが容易であるため、照明装置２０の設計の自由度が増す。
【００３２】
更に、導光板５０は、下方側面６４の両端側に右側傾斜面６３ａ及び左側傾斜面６３ｂを有しているため、右側傾斜面６３ａ及び左側傾斜面６３ｂを有していない場合と比較して、特に、導光板５０の側面下方向への光の照射量を増加することができる。言い換えると、下方及び側方だけでなく、側面下方もより明るくすることができるため、広い範囲に光を照射することができる。
【００３３】
更にまた、右側傾斜面６３ａ及び左側傾斜面６３ｂが、基部３２の下面よりも下側となる位置に取り付けられているため、右側傾斜面６３ａ及び左側傾斜面６３ｂから照射された光が基部３２によって遮られることがない。このため、右側傾斜面６３ａ及び左側傾斜面６３ｂが基部３２の下面よりも上側となる位置に取り付けられている場合と比較して、より広い範囲に光を照射することができる。
【００３４】
そして、導光板５０には中央凹部５４が設けられており、中央凹部５４の両側に位置する右側上方側面６１ａ及び左側上方側面６１ｂに対向する位置にＬＥＤ４４が設けられているため、ＬＥＤ４４から導光板５０の内部に照射される光量を維持したまま、中央凹部５４の大きさ分だけ導光板５０を軽量化することができる。
【００３５】
そして更に、光源ユニット４０が基部３２の一端側から他端側に直線状に設けられ、かつ、複数平行に設けられているため、導光板５０が規則的に取り付けられることになり、美観に優れる。
【００３６】
そして更にまた、基部３２の下側には、導光板５０を覆うように透明カバー３８が設けられているため、火災等の熱により、導光板５０が損傷する可能性を未然に低減することができる。加えて、熱等により導光板５０が損傷又は融解したとしても、導光板の一部が落下して周囲に影響を与える可能性を未然に低減することができる。このような効果は、列車や船舶、航空機、車両内といった閉鎖空間内で使用する場合や、店舗や公共施設等の多数の人が集まる場所などで使用する場合に、安全性の観点からも、特に有効である。
【００３７】
加えて、導光板５０は基部３２に等間隔で取り付けられているため、導光板５０と導光板５０の間隔がそれぞれ異なる場合と比較して、整然とした、優れた美観を与えることができる。
【００３８】
なお、本発明は上述した実施形態に何ら限定されることはなく、本発明の技術的範囲に属する限り種々の態様で実施し得ることはいうまでもない。
【００３９】
例えば、上述した実施の形態では、導光板５０を取り付けるものとしたが、導光板５０に代えて、導光板１５０を取り付けてもよい。ここで、導光板１５０について、図４を用いて詳しく説明する。図３は、導光板１５０の構成の概略を示す斜視図である。導光板１５０は、図４に示すように、両側面の上部に突出部１５２が設けられており、この突出部１５２の下面側を固定部材３４の裏面が押圧することにより、導光板５０を固定する場合と同様に、基部３２に導光板１５０が固定されることになる。また、導光板１５０は、下方側面６４の両端側から突出部１５２に向かってそれぞれ傾斜する右側傾斜面１６３ａ及び左側傾斜面１６３ｂが設けられている。この導光板１５０を導光板５０と比較すると、右側面６２ａ及び左側面６２ｂを有していないため、側面方向よりも、下面方向に向かって広く光を導出することができる。このため、側面よりも下面方向に光を照射したい場合に、好適である。なお、導光板５０と同様の部分については、同様の符号を付し、ここでは説明を省略する。
【００４０】
上述した実施の形態では、導光板５０を取り付けるものとしたが、導光板５０に代えて、図５に示すように、側面の両端部に設けられた突出部２５２と、側面の両端部より内側に設けられた側方凹部２５６と、を有する導光板２５０を取り付けてもよい。この突出部２５２の下面側を固定端面３４の裏面が押圧することにより、導光板５０を固定する場合と同様に、基部３２に導光板２５０が固定されることになる。このため、この導光板２５０を用いた場合も、上述した実施の形態と同様の効果が得られる。なお、導光板５０と同様の部分については、同様の符号を付し、ここでは説明を省略する。
【００４１】
上述した実施の形態では、導光板５０は透過性を有するメタクリル樹脂製の板であるものとしたが、透過性を有する素材であればメタクリル樹脂製に限定されるものでなく、メチルメタクリレートやエチルメタクリレート等のメタクリル樹脂以外にも、例えば、メチルアクリレート、エチルアクリレート等のアクリル製樹脂、ＡＢＳ樹脂、ポリカーボネート、ポリエチレン等の種々の素材を用いることができる。いずれの場合であっても、上述した実施の形態と同様の効果が得られる。
【００４２】
上述した実施の形態では、導光板５０の両主面に複数の拡散ドット５２を備えるものとしたが、一方主面にのみ拡散ドット５２を備えていてもよい。この場合も、上述した実施の形態と同様の効果が得られる。
【００４３】
上述した実施の形態では、導光板５０の表面に略四角錐形状の拡散ドット５２を複数有するものとしたが、略四角錐形状に限定されるものではなく、略三角錐形状や角柱形状、半球形状等の種々の形状であってもよい。また、レーザー加工機やプロッターを用いて表面を加工してもよいし、スクリーン印刷やシルク印刷等によって凸状に加工してもよいし、あらかじめ凹凸が刻まれた金型を用いて射出成形で形成してもよい。いずれの場合であっても、上述した実施の形態と同様の効果が得られる。
【００４４】
上述した実施の形態では、導光板５０の右側上方側面６１ａ及び左側上方側面６１ｂとの間に中央凹部５４を備えるものとしたが、中央凹部５４はなくともよい。この場合であっても、上述した実施の形態と同様に、広範囲に光を照射することができる。
【００４５】
上述した実施の形態では、導光板５０の右側上方側面６１ａ及び左側上方側面６１ｂとの間に中央凹部５４を備えるものとしたが、中央凹部５４の壁面に反射部材（例えば、反射板や反射テープ等）を更に備えていてもよい。こうすれば、拡散ドット５２で拡散された光のうち、基部３２の方向に進む光を反射することができるため、より明るくなる。
【００４６】
上述した実施の形態では、固定部材３４及び補助部材４２の下面に鏡面加工が施されているものとしたが、鏡面加工を行わなくともよい。この場合でも、導光板５０から直接照射される光によって、周囲を明るくすることができる。また、固定部材３４及び補助部材４２の下面の鏡面加工に代えて、白色等で塗装してもよいし、つや出し加工や光沢加工を行ってもよい。このような場合も、上述した実施の形態と同様の効果が得られる。また、固定部材３４及び補助部材４２の下面に反射部材（例えば、反射板や反射シート等）を設けてもよい。こうすることにより、固定部材３４と補助部材４２との境界がより視認しにくくなり、より美観に優れる。
【００４７】
上述した実施の形態では、透明カバー３８を設けるものとしたが、透明カバー３８は無くてもよい。熱による損傷の可能性の無い場所で使用する限りは、このような場合であっても、上述した実施の形態と同様の効果が得られる。
【産業上の利用可能性】
【００４８】
上述した実施の形態で示すように、照明分野、特に、ＬＥＤ照明として利用することができる。
【符号の説明】
【００４９】
２０...照明装置、３０...本体部、３１...固定ビス、３２...基部、
３４...固定部材、３６...溝、３８...透明カバー、４０...光源ユニット、
４２...補助部材、４４...ＬＥＤ、４６...保護部材、
５０、１５０、２５０...導光板、５２...拡散ドット、５４...中央凹部、
６１ａ...右側上方側面、６１ｂ...左側上方側面、６２ａ...右側面、６２ｂ...左側面、
６３ａ，１６３ａ...右側傾斜面、６３ｂ、１６３ｂ...左側傾斜面、６４...下方側面、
６５ａ...右側係合面、６５ｂ...左側係合面、１５２、２５２...突出部、
２５６...側方凹部。
【図１】
2013197065.tif 000003
【図２】
2013197065.tif 000004
【図３】
2013197065.tif 000005
【図４】
2013197065.tif 000006
【図５】
2013197065.tif 000007